(57)【要約】【課題】本発明は、映像通信を用いたユビキタスな協調作業環境を実現可能にする新たな電話端末の提供を目的とする。【解決手段】筐体の底部にカメラを配置して、そのカメラで撮影された映像を送信する機能を持つ。この構成に従って、ユーザの視線とカメラの向きとを一致させることができる。そして、筐体の底部にプロジェクタを配置して、受信した映像をそのプロジェクタで外部に出力する機能を持つ。この構成に従って、ユーザの視線とプロジェクタの投影方向とを一致させることができる。これから、映像の送信側は、自分の視界にある被写体を相手に送信しながら会話をすることができるようになるとともに、映像の受信側は、周囲にある無地の壁等を利用して、相手の視界にある被写体を見ながら会話をすることができるようになるので、映像通信を用いたユビキタスな協調作業環境を実現できるようになる。【選択図】図２
2007150933.tif 000002
【特許請求の範囲】
【請求項１】
筐体の底部にカメラを配置し、そのカメラで撮影された映像を送信する機能を有する電話端末。
【請求項２】
筐体の底部にプロジェクタを配置し、受信した映像をそのプロジェクタで外部に出力する機能を有する電話端末。
【請求項３】
筐体の底部にカメラとプロジェクタとを配置し、そのカメラで撮影された映像を送信する機能と、受信した映像をそのプロジェクタで外部に出力する機能とを有する電話端末。
【発明の詳細な説明】
【技術分野】
【０００１】
本発明は、映像通信を取り扱うことのできる電話端末に関し、特に、映像通信を用いたユビキタスな協調作業環境を実現可能にする電話端末に関する。
【背景技術】
【０００２】
カメラ付き携帯電話機は広く普及しており、テレビ電話機能を有する携帯電話機も普及しつつある。
【０００３】
さらに、最近では、内蔵カメラを有するコントローラーを自宅に設置して、そのコントローラーと接続することで、外出先から自宅の室内の様子をみながらエアコンなどの家電製品を遠隔操作したり、外出先から自宅にあるビデオを録画・再生・視聴したり、外出先から留守中の自宅の様子を動画で確認したり、外出先で撮影するライブ映像を自宅にあるテレビに出力するというようなことが可能な携帯電話機が提供されるようになってきた（例えば、非特許文献１参照）。
【非特許文献１】ＦＯＭＡ対応の家電製品等遠隔操作コントローラーの試作機を開発〔平成17年10月20日検索〕、インターネット＜ＵＲＬ：http://www.nttdocomo.co.jp/info/news_release/page/20040330b.html ＞
【発明の開示】
【発明が解決しようとする課題】
【０００４】
このようなことを実現する場合、従来のカメラ付き携帯電話機では、カメラで撮影した映像をその場で確認できるようにするために、映像表示に用いるディスプレイの裏側となる筐体部分にカメラを配置したり、受信した映像を見ながら自分の映像を送信することができるようにするために、映像表示に用いるディスプレイの位置する筐体部分にカメラを配置するようにしている。
【０００５】
このようなカメラ配置をとっていることから、従来の携帯電話機を用いていたのでは、携帯電話機を耳にあてた状態で、会話をしながら、視界にある被写体を撮影し送信することができないことになる。
【０００６】
さらに、従来の携帯電話機では、相手の携帯電話機から送信されてくる映像を表示するためのディスプレイ以外に、映像を出力するための周辺機器として特別のものを用意していない。
【０００７】
これから、従来の携帯電話機を用いていたのでは、携帯電話機を耳にあてた状態で、会話をしながら、相手の携帯電話機から送信されてくる映像を見ることができないことになる。
【０００８】
このように、従来の携帯電話機を用いていたのでは、携帯電話機を耳にあてた状態で、会話をしながら、視界にある被写体を撮影し送信することができないとともに、携帯電話機を耳にあてた状態で、会話をしながら、相手の携帯電話機から送信されてくる映像を見ることができない。
【０００９】
これから、従来の携帯電話機を用いていたのでは、送信側と受信側とが同じ物を見ながら会話をするということが実現できないことから、映像通信を用いたユビキタスな協調作業環境を実現できないという問題がある。
【００１０】
本発明はかかる事情に鑑みてなされたものであって、映像通信を用いたユビキタスな協調作業環境を実現可能にする新たな電話端末の提供を目的とする。
【課題を解決するための手段】
【００１１】
この目的を達成するために、本発明の電話端末は、筐体の底部にカメラを配置して、そのカメラで撮影された映像を送信する機能を有するように構成する。
【００１２】
この構成に従って、本発明の電話端末によれば、ユーザの視線とカメラの向きとを一致させることができるようになることから、ユーザは、電話端末を耳にあてた状態で、会話をしながら、自分の視界にある被写体を撮影して相手側に送信することができるようになる。
【００１３】
また、この目的を達成するために、本発明の電話端末は、筐体の底部にプロジェクタを配置して、受信した映像をそのプロジェクタで外部に出力する機能を有するように構成する。
【００１４】
この構成に従って、本発明の電話端末によれば、相手側から送信されてくる映像をプロジェクタ投影により見ることができるようになるとともに、そのときに、ユーザの視線とプロジェクタの投影方向とを一致させることができるようになることから、ユーザは、電話端末を耳にあてた状態で、会話をしながら、相手側から送信されてくる映像を見ることができるようになる。
【００１５】
また、この目的を達成するために、本発明の電話端末は、筐体の底部にカメラとプロジェクタとを配置して、そのカメラで撮影された映像を送信する機能と、受信した映像をそのプロジェクタで外部に出力する機能とを有するように構成する。
【００１６】
この構成に従って、本発明の電話端末によれば、ユーザの視線とカメラの向きとを一致させることができるようになることから、ユーザは、電話端末を耳にあてた状態で、会話をしながら、自分の視界にある被写体を撮影して相手側に送信することができるようになり、さらに、相手側から送信されてくる映像をプロジェクタ投影により見ることができるようになるとともに、そのときに、ユーザの視線とプロジェクタの投影方向とを一致させることができるようになることから、ユーザは、電話端末を耳にあてた状態で、会話をしながら、相手側から送信されてくる映像を見ることができるようになる。
【発明の効果】
【００１７】
以上説明したように、本発明の電話端末を用いることで、ユーザは、電話端末を耳にあてた状態で、会話をしながら、自分の視界にある被写体を撮影して相手側に送信することができるようになり、また、電話端末を耳にあてた状態で、会話をしながら、相手側から送信されてくる映像を見ることができるようになる。
【００１８】
これから、本発明の電話端末を用いることで、映像の送信側は、自分の視界にある被写体を相手に送信しながら会話をすることができるようになるとともに、映像の受信側は、周囲にある無地の壁などをプロジェクタの投影面として利用することで、相手の視界にある被写体を見ながら会話をすることができるようになる。
【００１９】
このように、本発明の電話端末を用いることで、送信側と受信側とが同じ物を見ながら会話をすることが実現できるようになることから、映像通信を用いたユビキタスな協調作業環境を実現できるようになる。
【００２０】
例えば、介護ヘルパーと寝たきりの高齢者が同一の商品を見ながら高齢者の必要とする商品を会話をしながらリアルタイムに選択するようなことが可能になり、映像通信を用いたユビキタスな協調作業環境を実現できるようになるのである。
【発明を実施するための最良の形態】
【００２１】
以下、実施の形態に従って本発明を詳細に説明する。
【００２２】
図１に、本発明を具備する携帯電話機１の装置構成を図示する。
【００２３】
この図に示すように、本発明の携帯電話機１は、従来の携帯電話機と同様に、映像を処理するＣＰＵ１０と、映像を一時的に保存するメモリ１１と、映像を撮影するカメラモジュール１２と、電波を送受信する電波送受信装置１３とを備え、さらに、これに加えてプロジェクタモジュール１４を備える。
【００２４】
現在、会議における説明用などに、パソコンに接続されて、パソコンの画面をプロジェクタ投影面に投影するプロジェクタ装置が用いられているが、このプロジェクタモジュール１４は、このプロジェクタ装置と同様の構成に従って、受信した映像を外部に出力する機能を持つものである。
【００２５】
本発明の携帯電話機１は、従来の携帯電話機と異なって、使用状態において最も下側に位置する面を構成することになる筐体の底部に、カメラモジュール１２を取り付けるようにする構成を採っている。
【００２６】
そして、本発明の携帯電話機１は、従来の携帯電話機では備えていないプロジェクタモジュール１４を備えるとともに、使用状態において最も下側に位置する面を構成することになる筐体の底部に、そのプロジェクタモジュール１４を取り付けるようにする構成を採っている。
【００２７】
最も広く用いられている携帯電話機では、送話口を構成してボタンを配置する第１のボディ部と、受話口を構成してディスプレイを配置する第２のボディ部とが折り曲げ可能な構造を有していて、未使用時には、この２つのボディ部が折り曲げられ、使用時には、この２つのボディ部が“く”の字の逆形状に開くという構造を有している。
【００２８】
このような構造を持つ携帯電話機などに対して本発明を適用する場合、本発明の携帯電話機１は、図２に示すように、送話口を構成する第１のボディ部の底部（ユーザが耳にあてて使用する場合に最も下側に位置する面を構成することになるボディ部分）に、カメラモジュール１２とプロジェクタモジュール１４とを取り付けるようにしている。
【００２９】
このような形でカメラモジュール１２を配置すると、ユーザの視線とカメラの向きとを一致させることができるようになる。
【００３０】
そして、このような形でプロジェクタモジュール１４を配置すると、ユーザの視線とプロジェクタの投影方向とを一致させることができるようになる。
【００３１】
次に、図３及び図４を使って、このように構成される本発明の携帯電話機１により実現可能となる協調作業の一例について説明する。
【００３２】
例えば、介護ヘルパーが寝たきり高齢者にコンビニやスーパーでの買い物を頼まれた場合、このように構成される本発明の携帯電話機１を用いると、図３に示すように、送信側となる介護ヘルパーは、本発明の携帯電話機１にて会話をしながら、自分の見ている商品陳列棚の映像を寝たきり高齢者に送信することができるようになる。
【００３３】
一方、受信側となる寝たきり高齢者は、このように構成される本発明の携帯電話機１を用いると、図４に示すように、周囲にある無地の壁などをプロジェクタ投影面として用いて、送信されてきた商品陳列棚の映像を視線方向と同じ向きに投影することで、本発明の携帯電話機１にて会話をしながら、コンビニやスーパーで買い物中の介護ヘルパーが見ている商品を見ることができるようになる。
【００３４】
このようにして、本発明の携帯電話機１を用いることで、介護ヘルパーと寝たきり高齢者とが同一の商品を見ながら、寝たきり高齢者の必要とする商品を会話しながらリアルタイムに選択することができるようになる。
【００３５】
この例から分かるように、本発明の携帯電話機１は、通信相手の視線方向にある被写体を見ながら同時に会話をすることが必要となる様々な協調作業支援システムに用いることができるものである。
【００３６】
例えば、本発明の携帯電話機１とネットワークとを組み合わせることで、工事現場において、高度な知識を持つ技術者が遠方から現場にいる作業者の作業を支援するというようなことも可能になる。
【００３７】
図示実施形態例について説明したが、本発明はこれに限定されるものではない。例えば、実施形態例では携帯電話機への適用を具体例にして本発明を説明したが、本発明はその適用が携帯電話機に限られるものではなくて、例えば、親子電話機の子機などのような可搬性のある電話機に対してもそのまま適用できるものである。
【図面の簡単な説明】
【００３８】
【図１】本発明の携帯電話機の装置構成図である。
【図２】本発明の携帯電話機の備えるカメラ及びプロジェクタの取り付け位置の説明図である。
【図３】本発明の携帯電話機の使用状態を説明する図である。
【図４】本発明の携帯電話機の使用状態を説明する図である。
【符号の説明】
【００３９】
１    携帯電話機
１０  ＣＰＵ
１１  メモリ
１２  カメラモジュール
１３  電波送受信装置
１４  プロジェクタモジュール
【図１】
2007150933.tif 000003
【図２】
2007150933.tif 000004
【図３】
2007150933.tif 000005
【図４】
2007150933.tif 000006